(57)【特許請求の範囲】
【請求項１】
テレビ放送とデータ放送とを含む第１および第２映像コンテンツをそれぞれ受信する第１および第２受信手段、
テレビ放送を表示するエリアＡと、データ放送を表示するエリアＢとを有する表示手段、
前記第１受信手段によって受信された第１映像コンテンツを前記表示手段に出力する第１出力手段、
前記第２受信手段によって受信された第２映像コンテンツのテレビ放送を前記第１出力手段によって出力された第１映像コンテンツのテレビ放送に代えて前記表示手段のエリアＡに出力する第２出力手段、および
前記第１出力手段からのデータ放送を前記表示手段のエリアＢに表示中に、前記第２出力手段へのサービス切り換え操作を受け付けたとき、前記表示手段のエリアＢの表示を第１出力手段からのデータ放送に継続する継続手段を備える受信機。
【請求項２】
主映像成分であるテレビ放送と副映像成分であるデータ放送とを含む第１および第２映像コンテンツをそれぞれ受信する第１および第２受信手段、
テレビ放送を表示するエリアＡと、データ放送を表示するエリアＢとを有する表示手段、
前記第１受信手段によって受信された第１映像コンテンツを前記表示手段に出力する第１出力手段、
前記第２受信手段によって受信された第２映像コンテンツのテレビ放送を前記第１出力手段によって出力された第１映像コンテンツのテレビ放送に代えて前記表示手段のエリアＡに出力する第２出力手段、および
前記第１出力手段からのデータ放送を前記表示手段のエリアＢに表示中に、前記第２出力手段へのサービス切り換え操作を受け付けたとき、前記表示手段のエリアＢの表示を第１出力手段からのデータ放送に継続する継続手段を備え、
前記第１および第２受信手段によってそれぞれ受信される第１および第２映像コンテンツの各々は双方向性を有し、
前記第２出力手段の出力処理の後に前記第１出力手段によって出力される第１映像コンテンツのデータ放送は前記操作者によって選択されるメニュー項目を含む、受信機。
【請求項３】
第１テレビ放送と第１データ放送とを受信する第１受信手段、
第２テレビ放送を受信する第２受信手段、
前記第１受信手段によって受信された第１テレビ放送と第１データ放送を出力する第１出力手段、
前記第２受信手段によって受信された第２テレビ放送を出力する第２出力手段、
テレビ放送を表示するエリアＡと、データ放送を表示するエリアＢとを有する表示手段、および
前記第１出力手段からの第１テレビ放送を前記表示手段のエリアＡに表示し、前記第１出力手段からの第１データ放送を前記表示手段のエリアＢに表示中に、前記第２出力手段へのサービス切り換え操作を受け付けたとき、前記表示手段のエリアＢの表示を第１データ放送に継続しつつ、前記表示手段のエリアＡの表示を、第１テレビ放送から第２テレビ放送に切り換える表示切換手段を備える受信機。
【請求項４】
前記メニュー項目のうちいずれか１つを選択する双方向操作を受け付ける受付手段、
前記受付手段に対応する受付結果を前記第１映像コンテンツの提供元に向けて送信する送信手段をさらに備える、請求項２記載の受信機。
【発明の詳細な説明】
【技術分野】
【０００１】
この発明は、受信機に関し、特にたとえば双方向性を有する映像コンテンツを受信する、受信機に関する。
【背景技術】
【０００２】
従来のこの種の装置の一例が、特許文献１に開示されている。この従来技術によれば、所望のチャネルのディジタル放送波は、チューナ復調器によって受信されかつ復調される。復調された放送コンテンツに含まれるメディアデータは、映像・音声処理部において映像・音声情報に変換される。また、復調された放送コンテンツに含まれる双方向アプリケーションは、データ処理部において双方向通信用の画面データに変換される。変換された映像・音声情報および画面データは、合成された状態でモニタから出力される。
【特許文献１】特開２００３−２８９５２４号公報[H04N 7/173,7/16,H04H 1/02,H04M 11/00]
【発明の開示】
【発明が解決しようとする課題】
【０００３】
しかし、従来技術では、チューナ復調器は１つであり、チャネル切り換え操作つまりサービス切り換え操作が行われると、その前にモニタから出力されていた放送番組に対する双方向操作が不可能となる。
【０００４】
それゆえに、この発明の主たる目的は、サービス切り換え操作前に注目していた映像コンテンツに対する双方向操作をサービス切り換え操作後も実行することができる、受信機を提供することである。
【課題を解決するための手段】
【０００５】
請求項１の発明に従う受信機は、テレビ放送とデータ放送とを含む第１および第２映像コンテンツをそれぞれ受信する第１および第２受信手段(16,18)、テレビ放送を表示するエリアＡと、データ放送を表示するエリアＢとを有する表示手段、第１受信手段によって受信された第１映像コンテンツを表示手段に出力する第１出力手段(28,42,SW1,S1)、第２受信手段によって受信された第２映像コンテンツのテレビ放送を第１出力手段によって出力された第１映像コンテンツのテレビ放送に代えて表示手段のエリアＡに出力する第２出力手段(30,SW1,S31)、および第１出力手段からのデータ放送を表示手段のエリアＢに表示中に、第２出力手段へのサービス切り換え操作を受け付けたとき、表示手段のエリアＢの表示を第１出力手段からのデータ放送に継続する継続手段を備える。
【０００６】
第１および第２映像コンテンツは、第１および第２受信手段によってそれぞれ受信される。第１受信手段によって受信された第１映像コンテンツは、第１出力手段によって出力される。第２出力手段は、操作者からサービス切り換え操作を受け付けたとき、第２受信手段によって受信された第２映像コンテンツのテレビ放送を、第１出力手段によって出力された第１映像コンテンツのテレビ放送に代えて出力する。継続手段は、第１出力手段からのデータ放送を表示手段のエリアＢに表示中に、第２出力手段へのサービス切り換え操作を受け付けたとき、表示手段のエリアＢの表示を第１出力手段からのデータ放送に継続する。
【０００７】
請求項２の発明に従う受信機は、第１および第２受信手段によってそれぞれ受信される第１および第２映像コンテンツの各々は、双方向性を有する。また、第２出力手段の出力処理の後に第１出力手段によって出力される第１映像コンテンツのデータ放送は、操作者によって選択されるメニュー項目を含む。
【０００８】
したがって、第１映像コンテンツの双方向性を実現するメニュー項目は、第１映像コンテンツの一部が第２映像コンテンツの一部に置換された後も継続的に出力される。これによって、サービス切り換え操作の後も、第１映像コンテンツに向けた双方向操作を行うことができる。
【００１０】
請求項３の発明に従う受信機は、第１テレビ放送と第１データ放送とを受信する第１受信手段、第２テレビ放送を受信する第２受信手段、第１受信手段によって受信された第１テレビ放送と第１データ放送を出力する第１出力手段、第２受信手段によって受信された第２テレビ放送を出力する第２出力手段、テレビ放送を表示するエリアＡと、データ放送を表示するエリアＢとを有する表示手段、および第１出力手段からの第１テレビ放送を表示手段のエリアＡに表示し、第１出力手段からの第１データ放送を表示手段のエリアＢに表示中に、第２出力手段へのサービス切り換え操作を受け付けたとき、表示手段のエリアＢの表示を第１データ放送に継続しつつ、表示手段のエリアＡの表示を、第１テレビ放送から第２テレビ放送に切り換える表示切換手段を備える。
【００１１】
請求項４の発明に従う受信機は、請求項２に従属し、メニュー項目のうちいずれか１つを選択する双方向操作を受け付ける受付手段(S7)、および受付手段に対応する受付結果を第１映像コンテンツの提供元に向けて送信する送信手段(40)をさらに備える。
【００１２】
したがって、第１映像コンテンツの他の一部のメニュー項目のうちいずれか１つを選択する双方向操作は、第１映像コンテンツの一部が第２映像コンテンツの一部に置換された後も受付手段によって継続して受け付けられる。送信手段は、受付手段に対応する受付結果を第１映像コンテンツの提供元に向けて送信される。これによって、双方向操作が継続して受け付けられる。
【発明の効果】
【００１３】
この発明によれば、第１映像コンテンツの双方向性を実現するメニュー項目は、第１映像コンテンツの一部が第２映像コンテンツの一部に置換された後も継続的に出力される。これによって、サービス切り換え操作の後も、第１映像コンテンツに向けた双方向操作を行うことができる。
【００１４】
この発明の上述の目的，その他の目的，特徴および利点は、図面を参照して行う以下の実施例の詳細な説明から一層明らかとなろう。
【発明を実施するための最良の形態】
【００１５】
図１を参照して、この実施例のディジタル放送受信機１０は、複数の操作キーによって形成されるリモコン１２を含む。リモコン１２に形成された操作キーのうち図示しない電源ボタンを押下する操作つまり電源オン操作が電源オフ状態で行われると、ディジタル放送受信機１０が起動し、電源オフ操作が行われた直前に出力されていたサービスを出力する処理が実行される。なお、サービスとは、放送事業者が編成する、スケジュールの一環として放送可能な番組の連続である。
【００１６】
アンテナ１４は高周波信号をディジタルチューナ１６および１８に与え、ディジタルチューナ１６および１８は高周波信号をベースバンド信号に変換する。ここで、ディジタルチューナ１６，ＯＦＤＭ復調回路２０，デマルチプレクサ２４およびＭＰＥＧデコーダ２８によって構成される受信系統は“第１系統”と定義し、ディジタルチューナ１８，ＯＦＤＭ復調回路２２，デマルチプレクサ２６およびＭＰＥＧデコーダ３０によって構成される受信系統は“第２系統”と定義する。
【００１７】
第１系統ではまず、ディジタルチューナ１６によって変換されたベースバンド信号はＯＦＤＭ(Orthogonal Frequency Division Multiplex)復調回路２０によってＴＳ（Transport Stream）に変換される。デマルチプレクサ２４は、変換されたＴＳを音声データおよび画像データを含むＭＰＥＧデータとデータカルーセル方式によって与えられるＢＭＬ(Broadcast Markup Language)文書データとに分離し、ＭＰＥＧデータをＭＰＥＧデコーダ２８に与える一方、ＢＭＬ文書データをＣＰＵ３２に与える。ＭＰＥＧデコーダ２８は、デマルチプレクサ２４から与えられたＭＰＥＧデータをデコードし、映像データをスイッチＳＷ１に入力するとともに、音声データをスイッチＳＷ２に入力する。
【００１８】
第２系統では、ディジタルチューナ１８によって変換されたベースバンド信号がＯＦＤＭ復調回路２２によってＴＳに変換される。デマルチプレクサ２６は、変換されたＴＳを音声データおよび画像データを含むＭＰＥＧデータを抽出し、ＭＰＥＧデータをＭＰＥＧデコーダ３０に与える。ＭＰＥＧデコーダ３０は、デマルチプレクサ２６から与えられたＭＰＥＧデータをデコードし、映像データをスイッチＳＷ１に入力するとともに、音声データをスイッチＳＷ２に入力する。つまり、第１系統ではディジタルチューナ１６によってチューニングされた番組コンテンツのＢＭＬ文書，映像データおよび音声データが生成され、第２系統ではディジタルチューナ１８によってチューニングされた番組コンテンツの映像データおよび音声データが生成される。
【００１９】
ＣＰＵ３２は、デマルチプレクサ２４から与えられたＢＭＬ文書データをＤＲＡＭ３６に一旦格納し、格納されたＢＭＬ文書データを読み出し、読み出されたＢＭＬ文書データに解析処理を施し、この解析結果に基づく処理を実行し、処理結果をキャラクタジェネレータ４２に与える。具体的には、ＢＭＬ文書データに含まれるモジュールデータをＪＰＥＧ画像やＰＮＧ画像などの各種モノメディアに変換する処理などが実行される。
【００２０】
ＣＰＵ３２はまた、スイッチＳＷ１およびＳＷ２を端子Ｔ１およびＴ３にそれぞれ接続する。このとき、スイッチＳＷ１が端子Ｔ１に接続されると、ＭＰＥＧデコーダ２８から出力される映像データが映像処理回路４４に入力され、スイッチＳＷ１が端子Ｔ２に接続されると、ＭＰＥＧデコーダ３０から出力される映像データが映像処理回路４４に入力される。また、スイッチＳＷ２が端子Ｔ３に接続されると、ＭＰＥＧデコーダ２８から出力される音声データが音声処理回路５２に入力され、スイッチＳＷ２が端子Ｔ４に接続されると、ＭＰＥＧデコーダ３０から出力される音声データが音声処理回路５２に入力される。
【００２１】
音声処理回路５２は、スイッチＳＷ２を介して得られた音声データにＤ／Ａ変換を施し、これによって得られたアナログ音声信号はスピーカ５４に出力される。こうして、クイズ番組の音声がスピーカ５４から出力される。
【００２２】
キャラクタジェネレータ４２は、ＣＰＵ３２によって与えられた処理結果に対応するキャラクタデータを加算器４６に与える。映像処理回路４４は、スイッチＳＷ１を介して得られた映像データにスケール調整を施し、加算器４６を通してＮＴＳＣエンコーダ４８に出力する。ＮＴＳＣエンコーダ４８は、スケール調整された映像データとキャラクタデータとをコンポジットビデオ信号にエンコードし、エンコードされたコンポジット信号をモニタ５０から出力する。
【００２３】
こうして、テレビ放送によって提供されるテレビ映像つまり主映像はエリアＡ（図２参照）に表示され、データ放送によって提供されるテレビ映像つまり副映像はエリアＢ（図２参照）に表示される。エリアＡに表示されるテレビ映像が主映像に相当し、エリアＢに表示されるデータ映像が副映像に相当する。
【００２４】
リモコン１２に形成された操作キーのうち図示しない選局ボタンを押下する操作つまりサービス切換操作が行われると、モニタ５０上のエリアＡおよびＢにそれぞれ表示されたテレビ放送映像およびデータ放送映像が切換後のサービスに対応するテレビ放送映像およびデータ放送映像に切り換わる。
【００２５】
具体的には、選択されたサービスが図２に示すような双方向型のクイズ番組の場合、ＣＰＵ３２は、第１系統によるチューニング処理を実行すべく、この野球中継に注目するチューニングをディジタルチューナ１６に設定する。このチューニングに従って、ディジタルチューナ１６はアンテナ１４から得られる高周波信号をベースバンド信号に変換し、第１系統での処理が上述と同様に実行される。この結果、図２に示す双方向型のクイズ番組が表示される。なお、このクイズ番組は、放送局から単方向で配信されるテレビ放送とこのクイズ番組に関する応答形式のデータ放送つまり双方向型のデータ放送とによって形成され、テレビ放送映像およびデータ放送映像はエリアＡおよびエリアＢにそれぞれ表示される。
【００２６】
選択されたサービスが図３に示すような単方向型の野球中継の場合もまた同様に、ＣＰＵ３２は、第１系統によるチューニング処理を実行すべく、この野球中継に注目するチューニングをディジタルチューナ１６に設定する。アンテナ１４から得られる高周波信号はこのチューニングに従ってベースバンド信号に変換され、第１系統での処理が上述と同様に実行される。この結果、図３に示す単方向型の野球中継がモニタ５０に表示される。なお、この野球中継は放送局から単方向で配信されるテレビ放送とこの野球中継に関する単方向型のデータ放送とによって形成され、テレビ放送映像およびデータ放送映像はエリアＡおよびエリアＢにそれぞれ表示される。
【００２７】
選択されたサービスが図４に示すような単方向型の天気番組の場合もまた同様に、ＣＰＵ３２は、第１系統によるチューニング処理を実行すべく、この天気番組に注目するチューニングをディジタルチューナ１６に設定する。アンテナ１４から得られる高周波信号はこのチューニングに従ってベースバンド信号に変換され、第１系統での処理が上述と同様に実行される。この結果、図４に示す単方向型の天気番組がモニタ５０に表示される。なお、この天気番組は放送局から単方向で配信されるテレビ放送とこの天気番組に関する単方向型のデータ放送とによって形成され、テレビ放送映像およびデータ放送映像はエリアＡおよびエリアＢにそれぞれ表示される。
【００２８】
図示しない放送局から割り込み事象としてイベントメッセージが送信されると、ＣＰＵ３２はアンテナ１４を介して得られるイベントメッセージを解析し、この解析結果に基づいてイベントハンドラを起動する。なお、イベントハンドラとは、キー入力や送信された信号に対応するユーザ定義関数に基づいて所定のイベントを起動させることを指し、ユーザ定義関数はフラッシュメモリ３８に格納される。
【００２９】
検出されたイベントメッセージがエリアＢに表示されたデータ放送の内容を更新するイベントメッセージであるとき、ＣＰＵ３２は、ＤＲＡＭ３６に格納されたデータカルーセル方式のＢＭＬ文書データを再び解析し、この解析結果に基づく処理を実行し、こうして得られた更新処理結果をキャラクタジェネレータ４２に与える。キャラクタジェネレータ４２は、ＣＰＵ３２によって与えられた更新処理結果に対応するキャラクタデータを加算器４６に与える。ＮＴＳＣエンコーダ４８は、キャラクタデータをコンポジット信号にエンコードし、エンコードされたコンポジットビデオ信号をモニタ４６から出力する。この結果、エリアＢに表示されるデータ放送映像が図５に示す要領で更新される。
【００３０】
リモコン１２に形成された図示しない複数のデータ放送用ボタンを押下する操作つまり双方向操作が双方向型のデータ放送中に行われると、データ放送用ボタンに対応するイベント処理が行われる。具体的には、複数のデータ放送用ボタンは“青”ボタンを有し、図２に示すクイズ番組の放送中にこの“青”ボタンが押下されたとき、リモコン１２はユーザによって“青”ボタンが選択された旨の通知をＩＲ発光素子１２ａから発信する。この通知は、ＩＲ受光素子３４を介してＣＰＵ３２に与えられる。ＣＰＵ３２は、ＤＡＲＭ３６に格納されたＢＭＬ文書を解析し、クイズ番組の放送局，クイズ番組の内容および“青”ボタンが選択された旨の通知を含むパケットデータを生成する。生成されたパケットデータは通信Ｉ／Ｆ４０に与えられ、通信Ｉ／Ｆ４０はインターネットを介して図示しない放送局に向けてパケットデータを送信する。こうして、双方向操作に対応するイベント処理が実現される。
【００３１】
リモコン１２に形成されたデータ放送固定キーを押下する操作つまりデータ放送固定操作が行われると、エリアＢに表示されたデータ放送映像を固定すべき処理つまりデータ放送固定処理が実行される。
【００３２】
ここで、データ放送固定操作に応じてエリアＢに表示されたデータ放送映像が固定された状態を“データ放送固定状態”と定義する。このとき、ＣＰＵ３２に形成された図示しないレジスタに登録されたパラメータの“ＦＬＧ”は、“１”を示す。一方、データ放送固定操作に応じてエリアＢに表示されたデータ放送映像がサービス切換操作に応じて切換る状態を“データ放送非固定状態”と定義する。このとき、“ＦＬＧ”は、“０”を示す。
【００３３】
データ放送固定操作が図２に示すクイズ番組の放送中に行われると、リモコン１２はユーザによってデータ放送固定キーが選択された旨の通知をＩＲ発光素子１２ａから発信し、この通知はＩＲ受光素子３４を介してＣＰＵ３２に与えられる。ＣＰＵ３２は現在設定されたＦＬＧを検出し、検出結果が“０”であるので、ＣＰＵ３２は、図６に示す“データ放送固定中”のフレームを表示すべき命令をキャラクタジェネレータ４２に発行し、ＦＬＧを“１”に設定する。
【００３４】
キャラクタジェネレータ４２は、フレームのキャラクタデータを加算器４６に出力し、ＮＴＳＣエンコーダ４８は、キャラクタデータをコンポジットビデオ信号にエンコードし、エンコードされたコンポジットビデオ信号をモニタ４６から出力する。この結果、図６に示すように“データ放送固定中”と記述されたフレームがモニタ５０に表示される。こうして、エリアＢに出力されたデータ放送映像が固定されていることがユーザに伝えられる。
【００３５】
また、サービス切り換え操作によって野球中継が選択されると、サービス切り換え操作に従うサービスが図７に示す要領でエリアＡに表示される。具体的には、ＣＰＵ３２は、第２系統によるチューニング処理を行うべく、スイッチＳＷ１を端子Ｔ２に接続し、スイッチＳＷ２を端子Ｔ４に接続する。ＣＰＵ３２はまた、野球中継のテレビ放送をチューニングすべくディジタルチューナ１８に対応する設定を施す。この設定に従って、ディジタルチューナ１８はアンテナ１４から得られる高周波信号をベースバンド信号に変換し、第２系統での処理が上述と同様に実行される。すると、ＭＰＥＧデコーダ３０から出力される映像データが端子Ｔ２を介して映像処理回路４４に入力される。映像処理回路４４は、こうして得られた映像データに図６のエリアＡに表示すべきスケール調整を施し、調整された映像データはＮＴＳＣエンコーダ４８に向けて出力される。ＮＴＳＣエンコーダ４８は、加算器４６から出力される映像データとキャラクタデータとをコンポジットビデオ信号にエンコードし、エンコードされたコンポジットビデオ信号をモニタ５０から出力する。こうして、図７に示す要領で、野球中継のテレビ放送映像がエリアＡに表示され、クイズ番組のデータ放送映像がエリアＢに継続的に表示される。
【００３６】
さらに、サービス切り換え操作によって天気予報が選択されると、サービス切り換え操作に従うサービスが図８に示す要領でエリアＡに表示される。具体的には、ＣＰＵ３２は、第２系統によるチューニング処理を実行すべく、天気予報のテレビ放送をチューニングすべくディジタルチューナ１８に対応する設定を施し、この設定に従ってディジタルチューナ１８はアンテナ１４から得られる高周波信号をベースバンド信号に変換し、上述と同様な処理が実行される。この結果、図８に示す要領で、エリアＡに天気予報のテレビ放送映像が表示される。クイズ番組のデータ放送映像は、継続してエリアＢに表示される。
【００３７】
このように、データ放送固定操作によって固定された双方向型のデータ放送は、エリアＡに出力されたテレビ放送映像が他のテレビ放送映像に置換された後も継続的に出力される。これによって、サービス切り換え操作の後も、固定された双方向型のデータ放送に向けた双方向操作を行うことができる。
【００３８】
一方、データ放送固定状態でデータ放送固定操作が行われると、エリアＢに表示されたデータ放送映像は、データ放送固定状態からデータ放送非固定状態に遷移させる処理が行なわれる。具体的には、図６に示す表示状態でデータ放送固定操作が行われると、リモコン１２はユーザによってデータ放送固定キーが選択された旨の通知をＩＲ発光素子１２ａから発信する。この通知を与えられたＣＰＵ３２は、“データ放送固定中”のフレームを消去すべき命令をキャラクタジェネレータ４２に発行し、スイッチＳＷ１を端子Ｔ１に接続し、スイッチＳＷ２を端子Ｔ３に接続する。キャラクタジェネレータ４２はフレームのキャラクタデータの出力を停止する。こうして、図２に示すようなクイズ番組がモニタ５０に再び表示される。
【００３９】
したがって、データ放送固定状態でサービス切り換え操作によって切り換えられたサービスとエリアＢに表示されたデータ放送とが異なる場合に、データ放送固定操作が行われると、エリアＢに表示されたデータ放送に従うサービスがエリアＡに表示される。これによって、リモコン１２の操作性が向上する。
【００４０】
ＣＰＵ３２は、データ放送に関連する処理について図９に示すフロー図に従う処理を行う。なお、このフロー図に対応する制御プログラムは、フラッシュメモリ３８に記憶される。
【００４１】
図９を参照して、ステップＳ１では、データ放送の起動処理が実行される。具体的には、スイッチＳＷ１を端子Ｔ１に接続し、スイッチＳＷ２を端子Ｔ３に接続し、そしてＦＬＧを“０”に設定する。このとき、テレビ放送映像およびデータ放送映像がそれぞれエリアＡおよびエリアＢに図２に示す要領で表示される。
【００４２】
ステップＳ３では、放送局から送信されるイベントメッセージが検出されたか否かを判断する。イベントメッセージが検出されると、ステップＳ５でこのイベントメッセージに対応するイベントハンドラ処理を実行する。検出されたイベントメッセージがエリアＢに表示されたデータ放送の内容を更新するイベントメッセージであるとき、テレビ放送映像およびデータ放送映像がそれぞれエリアＡおよびエリアＢに図５に示す要領で表示される。
【００４３】
ステップＳ７では、双方向操作が行われたか否かを判断する。データ放送用ボタンが押下されると、ステップＳ９で、データ放送用ボタンに対応するイベント処理を実行する。
【００４４】
ステップＳ１１では、データ放送固定操作が行われたか否かを判断する。データ放送固定操作が行われると、ステップＳ１３で、ＦＬＧが“１”であるか否かつまりデータ放送が固定状態であるか否かを判別する。判別結果がＮＯであればステップＳ１５に進み、フレームを表示すべき命令をキャラクタジェネレータ４２に発行し、ステップＳ１７で、ＦＬＧを“１”に設定する。このとき、テレビ放送映像およびデータ放送映像がそれぞれエリアＡおよびエリアＢに図６に示す要領で表示される。
【００４５】
一方、判断結果がＹＥＳであればステップＳ１９に進み、フレームを消去すべき命令をキャラクタジェネレータ４２に発行し、ステップＳ２１でスイッチＳＷ１を端子Ｔ１に接続させ、スイッチＳＷ２を端子Ｔ３に接続させ、ステップＳ２３でＦＬＧを“０”に設定する。こうして、第１系統によるチューニング処理が設定される。このとき、テレビ放送映像およびデータ放送映像がそれぞれエリアＡおよびエリアＢに図２に示す要領で表示される。
【００４６】
ステップＳ２５では、サービス切り換え操作が行われたか否かを判断する。サービス切り換え操作が行われると、ステップＳ２７でＦＬＧが“１”であるか否かを判別する。判別結果がＮＯであればステップＳ２９で第１系統でのチューニング処理を行うべくサービス切り換え操作に注目するチューニングをディジタルチューナ１６に設定する。このとき、テレビ放送映像およびデータ放送映像がそれぞれエリアＡおよびエリアＢに図３に示す要領で表示される。
【００４７】
一方、判断結果がＹＥＳであればステップＳ３１でスイッチＳＷ１を端子Ｔ２に接続させ、スイッチＳＷ２を端子Ｔ４に接続させる。ステップＳ３３では、第２系統でのチューニング処理を行うべくサービス切り換え操作に注目するチューニングをディジタルチューナ１８に設定する。こうして、第２系統によるチューニング処理が設定される。このとき、テレビ放送映像およびデータ放送映像がそれぞれエリアＡおよびエリアＢに図７に示す要領で表示される。
【００４８】
なお、この実施例によれば、サービス切り換え操作によって選択される番組コンテンツは地上波ディジタル放送によるが、これに限らず、ＢＳ／ＣＳ１１０度／地上をまたぐ、異なるネットワークのサービス切り換えであっても良い。
【００４９】
また、この実施例によれば、第１系統のみがＢＭＬ文書を生成するように説明したが、これに限らず、第２系統でもＢＭＬ文書を生成しＣＰＵ３２に与えることも可能である。
【図面の簡単な説明】
【００５０】
【図１】この発明の一実施例の構成を示すブロック図である。
【図２】ディスプレイ動作の一部を示す図解図である。
【図３】ディスプレイ動作の他の一部を示す図解図である。
【図４】ディスプレイ動作のその他の一部を示す図解図である。
【図５】ディスプレイ動作のまたその他の一部を示す図解図である。
【図６】図５に示すディスプレイ動作にキャラクタデータを加えた動作の一部を示す図解図である。
【図７】ディスプレイ動作のさらにその他の一部を示す図解図である。
【図８】ディスプレイ動作のまたさらにその他の一部を示す図解図である。
【図９】図１実施例に適用されるＣＰＵの動作の一部を示すフロー図である。
【符号の説明】
【００５１】
１２  …  リモコン
１４  …  アンテナ
１６，１８  …  ディジタルチューナ
２０，２２  …  ＯＦＤＭ復調回路
２４，２６  …  デマルチプレクサ
２８，３０  …  ＭＰＥＧデコーダ
３２  …  ＣＰＵ
３６  …  ＤＲＡＭ
３８  …  フラッシュメモリ
４０  …  通信Ｉ／Ｆ
４２  …  キャラクタジェネレータ
４４  …  映像処理回路
５０  …  モニタ
【図１】
0004401343.tif 000002
【図２】
0004401343.tif 000003
【図３】
0004401343.tif 000004
【図４】
0004401343.tif 000005
【図５】
0004401343.tif 000006
【図６】
0004401343.tif 000007
【図７】
0004401343.tif 000008
【図８】
0004401343.tif 000009
【図９】
0004401343.tif 000010